(57)【要約】【課題】警報音声を認識できない幼児、耳の遠いお年寄り等の乗客にとっても、スカートガードパネル１３とステップ９との隙間に異物ＦＢが挟まらないように、エスカレータ１の運転停止前に十分に注意を促すことができる乗客コンベヤを提供する。【解決手段】複数のステップ９の両側に一対の欄干１２が立設され、各欄干１２の下側に複数のステップ９に近接したスカートガードパネル１３がをそれぞれ設けられている。各欄干１２には複数のステップ９と略同じ速度で循環走行可能な環状の手摺ベルト１４それぞれ設けられている。コントローラ１９は、警報センサ１７がスカートガードパネル１３に所定量の変位が生じたことを検知すると、照明装置１８を警報として点灯又は点滅させる。【選択図】図１
2007176688.tif 000002
【特許請求の範囲】
【請求項１】
環状に連結され、循環走行可能な複数のステップと、
前記複数のステップの両側に立設された一対の欄干と、
前記各欄干の下側に設けられ、前記複数のステップに近接したスカートガードパネルと、
前記スカートガードパネルが外側に所定量変位したことを検知する警報センサと、
前記複数のステップ上の乗客が視認可能な位置に設けられた照明装置と、
前記警報センサが前記スカートガードパネルに前記所定量の変位が生じたことを検知すると、前記照明装置を点灯又は点滅させるコントローラと、
を具備したことを特徴とする乗客コンベヤ。
【請求項２】
前記スカートガードパネルを振動させる振動発生器を具備し、前記警報センサが前記スカートガードパネルに前記所定量の変位が生じたことを検知すると、前記コントローラが前記振動発生器を駆動すること特徴とする請求項１記載の乗客コンベヤ。
【請求項３】
前記複数のステップ上の乗客が聴取可能な警報音声を発する音声発生装置を具備し、前記警報センサが前記スカートガードパネルに前記所定量の変位が生じたことを検知すると、前記コントローラが前記音声発生装置を駆動することを特徴とする請求項１又は請求項２記載の乗客コンベヤ。
【請求項４】
前記照明装置は、前記スカートガードパネルに設けられたスカートガードパネル照明装置、及び／又は前記欄干の上部に設けられた欄干照明装置であることを特徴とする請求項１乃至請求項３のいずれか一項記載の乗客コンベヤ。
【請求項５】
前記照明装置は、複数の異なる色で点灯可能であり、前記警報センサが前記スカートガードパネルに前記所定量の変位が生じたことを検知すると、前記コントローラが、前記照明装置を通常運転時とは異なる色で点灯させるように構成されたことを特徴とする請求項４記載の乗客コンベヤ。
【請求項６】
前記コントローラは、前記警報センサが前記スカートガードパネルに前記所定量の変位が生じたことを検知すると、前記照明装置の一部分のみを点灯又は点滅させるように構成されたことを特徴とする請求項４又は請求項５記載の乗客コンベヤ。
【発明の詳細な説明】
【技術分野】
【０００１】
本発明は、 エスカレータや動く歩道等の乗客コンベヤに関する。
【背景技術】
【０００２】
エスカレータ等の乗客コンベヤにおいては、欄干におけるスカートガードパネルとステップとの隙間に異物（靴、乗客の携帯品等）が挟まれることがあり、これを防止するため、従来から、スカートガードパネルの表面に高分子系潤滑剤を塗布してスカートガードパネルに対する異物の滑り性を高めたり、ステップにおけるデマケーションクリートの端縁部を高くしたりする等の対策をとっている。
【０００３】
そして、スカートガードパネルとステップとの隙間に異物が万一挟まって、異物によってスカートガードパネルが押された場合には、安全スイッチとしてのリミットスイッチがスカートガードパネルの変位を検知して、乗客コンベヤが運転停止するようになっている。
【０００４】
一方、乗客コンベヤが頻繁に運転停止すると、乗客の円滑な運搬の妨げになるため、例えば特許文献１に示すように、乗客コンベヤの運転停止の前に乗客に注意を喚起するようにしたものが提案されている。即ち、スカートガードパネルに所定量の変位が生じたことを警報センサが検知すると、警報として、スカートガードパネルを振動させたり、警報音声を発生させたりしている。ここで、前記所定量の変位は、前記安全スイッチが検知する変位よりも小さく設定されている。
【特許文献１】特開２００１−２４７２８６号公報
【発明の開示】
【発明が解決しようとする課題】
【０００５】
ところで、警報としてスカートガードパネルを振動させるだけでは、スカートガードパネルとステップとの隙間に異物が挟まらないように、乗客コンベヤの運転停止前に乗客に十分に注意を促すことはできないことが多い。また、警報音声を発生させても、警報音声を認識できない幼児、耳の遠いお年寄り等の乗客にとっては、乗客コンベヤの運転停止前に注意を促すことはできない。
【０００６】
そこで、本発明は、運転停止前に視覚的に乗客に警報を発することができる新規な構成の乗客コンベヤを提供することを目的とする。
【課題を解決するための手段】
【０００７】
本発明の乗客コンベヤは、
環状に連結され、循環走行可能な複数のステップと、
前記複数のステップの両側に立設された一対の欄干と、
前記各欄干の下側に設けられ、前記複数のステップに近接したスカートガードパネルと、
前記スカートガードパネルが外側に所定量変位したことを検知する警報センサと、
前記複数のステップ上の乗客が視認可能な位置に設けられた照明装置と、
前記警報センサが前記スカートガードパネルに前記所定量の変位が生じたことを検知すると、前記照明装置を点灯又は点滅させるコントローラと、
を具備したことを特徴としている。
【発明の効果】
【０００８】
本発明によれば、警報音声を認識できない幼児、耳の遠いお年寄り等の乗客にとっても、スカートガードパネルとステップとの隙間に異物が挟まらないように、乗客コンベヤの運転停止前に十分に注意を促すことができる。
【発明を実施するための最良の形態】
【０００９】
以下、本発明の一実施形態について図面を参照して説明する。
【００１０】
図１は、本発明の第１の実施形態であるエスカレータの側面図、図２は、第１の実施形態の照明装置の周辺の配置状態を示す図、図３は、第１の実施形態の警報センサの周辺の配置状態及び制御ブロックを示す図である。
【００１１】
図１に示すように、第１実施形態のエスカレータ１は、乗客を下階方向へ運搬するものであって、具体的な構成は以下のようになる。
【００１２】
即ち、建物２には、上階部２ａと下階部２ｂの間にトラス３が架設されており、トラス３における上階部２ａ側及び下階部２ｂ側には、それぞれ乗降板４が設けられている。
【００１３】
また、トラス３における上階部２ａ付近には、左右に離隔した一対の駆動スプロケット５（図中には１つのみ図示）が回転可能に設けられてあって、トラス３における下階部２ｂ付近には、左右に離隔した一対の従動スプロケット６（図中には１つのみ図示）が回転可能に設けられている。
【００１４】
更に、左側の駆動スプロケット５と左側の従動スプロケット６の間、及び右側の駆動スプロケット５と右側の従動スプロケット６の間には、それぞれ環状のチェーン７（図中には１つのみ図示）がそれぞれ掛け回すように設けられている。そして、トラス３における駆動スプロケット５の近傍には、駆動モータ８が設けられており、一対の駆動スプロケット５は、駆動モータ８の出力軸に適宜の連結機構を介して連動連結してある。
【００１５】
一対の走行チェーン７によって、それらの間に配置された複数のステップ９（一部図示省略）が環状に連結されている。各ステップ９は、両側面に前輪１０と後輪１１をそれぞれ備えている。更に、トラス３には、各ステップ９における前輪１０を循環移動可能に案内支持する環状の前輪用ガイドレール（図示省略）、及び複数のステップ９における後輪１１を循環移動可能に案内支持する環状の後輪用ガイドレール（図示省略）がそれぞれ設けられている。
【００１６】
トラス３における複数のステップ９の左右両側には、上階部２ａから下階部２ｂにかけて延びる欄干１２がそれぞれ立設されており、各欄干１２の下側には、複数のステップ９に近接したスカートガードパネル１３が設けられている。また、各欄干１２には環状の手摺ベルト１４がそれぞれ設けられてあって、これらの手摺ベルト１４は、複数のステップ９と同期して略同じ速度で循環走行する。
【００１７】
即ち、各手摺ベルト１４を複数のステップ９と略同じ速度で循環走行させるため、トラス３における駆動スプロケット５の近傍には、駆動モータ８の出力軸に連動連結した一対の駆動シーブ１５（図中には１つのみ図示）が回転可能に設けられており、各の駆動シーブ１５の外周面には、対応する手摺ベルトがそれぞれ掛け回されている。
【００１８】
各スカートガードパネル１３における下階部２ｂ付近の外側には、リミットスイッチ等の安全スイッチ１６がそれぞれ設けられており、各安全スイッチ１６は、スカートガードパネル１３とステップ９との隙間に異物ＦＢ（図３参照）が挟まって、異物ＦＢによりスカートガードパネル１３が外側に押された場合に、スカートガードパネル１３の変位をそれぞれ検知するものである。そして、いずれかの安全スイッチ１６がスカートガードパネル１３の変位を検知すると、エスカレータ１が運転停止（具体的には、走行モータ８が駆動停止）するようになっている。
【００１９】
図１乃至図３に示すように、各スカートガードパネル１３における下階部２ｂ付近の外側には、スカートガードパネル１３に所定量の変位が生じたことを検知するリミットスイッチ又は近接センサ等の警報センサ１７がそれぞれ設けられており、各警報センサ１７は、安全スイッチ１６よりも運搬方向からみて上流側にそれぞれ位置している。ここで、前記所定量の変位は、安全スイッチ１６が検知する変位よりも小さく設定されている。
【００２０】
各スカートガードパネル１３における下階部２ｂ付近には、各警報センサ１７よりも運搬方向から見て下流側に照明装置１８がそれぞれ設けられており、各照明装置１８は、複数のランプ又は複数のＬＥＤをそれぞれ備えている。また、各警報センサ１７及び各照明装置１８にはコントローラ１９が接続されており、このコントローラ１９には電源２０が接続されている。そして、コントローラ１９は、警報センサ１７からの検知信号が入力されると、各照明装置１８に点滅又は点灯するための作動信号を出力するようになっている。即ち、各照明装置１８は、警報センサ１７がスカートガードパネル１３に前記所定量の変位が生じたことを検知すると、警報として点灯又は点滅するように構成されている。
【００２１】
次に、第１の実施形態の作用及び効果について説明する。
【００２２】
走行モータ８が駆動されると、一対の駆動スプロケット５及び一対の従動スプロケット６が回転し、複数のステップ９が一対の走行チェーン７に伴って循環走行すると共に、一対の駆動シーブ１５が回転し、一対の手摺ベルト１４が複数のステップ９と略同じ速度で循環走行する。これにより、ステップ９上の乗客が所定の運搬方向へ運搬される。
【００２３】
エスカレータ１の運転中に、警報センサ１７がスカートガードパネル１３に前記所定量の変位が生じたことを検知すると、照明装置１８が警報として点灯又は点滅する。そのため、エスカレータ１の運転停止前（即ち、走行モータ８の駆動停止前）に視覚的に乗客に警報を発することができる。
【００２４】
よって、警報音声を認識できない幼児、耳の遠いお年寄り等の乗客にとっても、スカートガードパネル１３とステップ９との隙間に異物ＦＢが挟まらないように、エスカレータ１の運転停止前に十分に注意を促すことができる。
【００２５】
なお、前述の第１実施形態の説明は、エスカレータ１が乗客を下階方向へ運搬する場合であるが、乗客を上階方向へ運搬する場合おいては、安全スイッチ１６、警報センサ１７、及び照明装置１８が上階部２ａ付近（上階部２ａ側）に設けられる。
【００２６】
次に、本発明の第２の実施実施形態について図４及び図５を参照して説明する。図４は、第２の実施形態のエスカレータの側面図、図５は、第２の実施形態の制御ブロックを示す図である。なお、本実施形態において、第１の実施形態と同一の部分には同一の符号を付してあり、重複する説明は省略してある。
【００２７】
図４及び図５に示すように、第２の実施形態のエスカレータ２１では、スカートガードパネル１３に、欄干１２の長手方向へ延びたスカートガードパネル照明装置２２が設けられており、このスカートガードパネル照明装置２２は、点灯色の異なる複数のランプ又は複数のＬＥＤを備えている。
【００２８】
また、各欄干１２の上部には、複数の欄干照明装置２３が欄干１２の長手方向に沿って設けられており、各欄干照明装置２３は、ランプ又はＬＥＤをそれぞれ備えている。更に、スカートガードパネル照明装置２２及び各欄干照明装置２３は、コントローラ１９に接続されている。
【００２９】
そして、コントローラ１９は、警報センサ１７からの検知信号が入力されると、スカートガードパネル照明装置２２及び各欄干照明装置２３に、通常運転時とは異なる点灯色で点灯するための作動信号を出力するようになっている。即ち、スカートガードパネル照明装置２２及び各欄干照明装置２３は、警報センサ１７がスカートガードパネル１３に前記所定量の変位が生じたことを検知すると、警報として通常運転時とは異なる点灯色で点灯するように構成されている。
【００３０】
なお、コントローラ１９は、警報センサ１７からの検知信号が入力されると、スカートガードパネル照明装置２２及び各欄干照明装置２３のランプ又はＬＥＤの全部が通常運転時とは異なる点灯色で点灯するための作動信号を出力する代わりに、ランプ又はＬＥＤの一部分のみが点灯又は点滅するための作動信号をスカートガードパネル照明装置２２及び各欄干照明装置２３に出力するようになっていてもよい。即ち、スカートガードパネル照明装置２２及び各欄干照明装置２３は、警報センサ１７がスカートガードパネル１３に前記所定量の変位が生じたことを検知すると、警報として一部分のみが点灯又は点滅するように構成されてもよい。
【００３１】
各スカートガードパネル１３における下階部２ｂ付近の外側には、例えば、特開２００１−２４７２８６号公報に示すような振動発生器２４が設けられており、この振動発生器２４は、コントローラ１９に接続されている。そして、コントローラ１９は、警報センサ１７からの検知信号が入力されると、スカートガードパネル１３を振動させるための作動信号を振動発生器２４に出力するようになっている。即ち、振動発生器２４は、警報センサ１７がスカートガードパネル１３に前記所定量の変位が生じたことを検知すると、警報としてスカートガードパネル１３を振動させるように構成されている。
【００３２】
トラス３における下階部２ｂ側には、例えば、特開２００１−２４７２８６号公報に示すような音声発生装置２５が設けられており、この音声発生装置２５は、コントローラ１９に接続されている。そして、コントローラ１９は、警報センサ１７からの検知信号が入力されると、警報音声を発生するための作動信号を音声発生装置２５に出力するようになっている。即ち、音声発生装置２５は、警報センサ１７がスカートガードパネル１３に前記所定量の変位が生じたことを検知すると、警報として警報音声を発生するように構成されている。
【００３３】
次に、第２の実施形態の作用及び効果について説明する。
【００３４】
エスカレータ２１の運転中に、警報センサ１７がスカートガードパネル１３に前記所定量の変位が生じたことを検知すると、スカートガードパネル照明装置２２及び各欄干照明装置２３が警報として通常運転時とは異なる点灯色で点灯したり、或いは警報として一部分のみが点灯又は点滅したりする。また、警報センサ１７がスカートガードパネル１３に前記所定量の変位が生じたことを検知すると、振動発生器２４が警報としてスカートガードパネル１３を振動させると共に、音声発生装置２５が警報として警報音声を発生する。そのため、エスカレータ２１の運転停止前（即ち、走行モータ８の駆動停止前）に視覚的に乗客に警報を発することができる。
【００３５】
よって、警報音声を認識できない幼児、耳の遠いお年寄り等の乗客にとっても、スカートガードパネル１３とステップ９との隙間に異物ＦＢが挟まらないように、エスカレータ２１の運転停止前に十分に注意を促すことができる。
【００３６】
また、スカートガードパネル照明装置２２や欄干照明装置２３が警報を発するための照明装置を兼ねるようにしたことで、部品点数が低減するため、製造コストを低減することができる。
【００３７】
さらに、照明装置で警報を発するだけでなく、振動発生器や音声発生装置でも警報を発するようにしたことで、乗客に対してより確実に警告を与えることができる。なお、照明装置に組み合わせる他の警報機器は、振動発生器のみでもよいし、音声発生装置のみでもよい。
【００３８】
本実施形態は、エスカレータ２１が乗客を下階方向へ運搬する場合であるが、乗客を上階方向へ運搬する場合おいては、安全スイッチ１６、警報センサ１７、振動発生器２４、及び音声発生装置２５が上階部２ａ付近（上階部２ａ側）に設けられる。
【００３９】
なお、上記の各実施形態では、本発明をエスカレータに適用した場合について説明したが、本発明は他の乗客コンベヤにも適用可能である。
【００４０】
その他にも、本発明の要旨を逸脱しない範囲で上記の各実施形態に種々の改変を施すことができる。
【図面の簡単な説明】
【００４１】
【図１】本発明の第１の実施形態の側面図。
【図２】第１の実施形態の照明装置の周辺の配置状態を示す図。
【図３】第１の実施形態の警報センサの周辺の配置状態及び制御ブロックを示す図。
【図４】第２の実施形態の側面図。
【図５】第２の実施形態の制御ブロックを示す図。
【符号の説明】
【００４２】
１    エスカレータ（乗客コンベヤ）
９    ステップ
１２    欄干
１３    スカートガードパネル
１４    手摺ベルト
１６    安全スイッチ
１７    警報センサ
１８    照明装置
１９    コントローラ
２１    エスカレータ
２２    スカートガードパネル照明装置
２３    欄干照明装置
２４    振動発生器
２５    音声発生装置
【図１】
2007176688.tif 000003
【図２】
2007176688.tif 000004
【図３】
2007176688.tif 000005
【図４】
2007176688.tif 000006
【図５】
2007176688.tif 000007